(57)【要約】      （修正有）【課題】効率良くダンボール板を裁断できると共に、外力に対する強度を向上させて、搬送過程で破断誘導線が設けられたダンボール箱が変形するのを回避できるダンボール箱を提供する。【解決手段】一対の短辺部側面板１５、一対の長辺部側面板１７、及び４箇所の斜辺部側面板１８からなる８角形断面の側面部１９と、内フラップ１４及び外フラップ１６によって形成される天面部２０及び底面部２１とからなり、天面部外フラップ１６ａから長辺部側面板１７に亘って破断誘導線１１が設けられたダンボール箱１０であって、短辺部側面板１５の上端部及び下端部に連設される天面部内フラップ１４ａ及び底面部内フラップは、その両側縁部２２が、各々両側の長辺部側面板１７の内側面に沿って配置され、４箇所の斜辺部側面板１８は、長辺部側面板１７に対して２０°〜４０°の折曲り角度θで各々折れ曲がった状態で設けられている。【選択図】図１
2012210960.tif 000002
【特許請求の範囲】
【請求項１】
所定の形状に裁断されたダンボール板を折曲げ線に沿って折り曲げることで、内フラップが連設される一対の短辺部側面板、外フラップが連設される一対の長辺部側面板、及び各隣接する前記短辺部側面板と前記長辺部側面板との間に介在する４箇所の斜辺部側面板からなる８角形断面の側面部と、一対の天面部内フラップ及び一対の天面部外フラップによって形成される天面部と、一対の底面部内フラップ及び一対の底面部外フラップによって形成される底面部とを備えるように形成されると共に、少なくとも一方の前記天面部外フラップから前記長辺部側面板に亘って一対の破断誘導線が設けられているダンボール箱であって、
前記短辺部側面板の上端部に連設される前記天面部内フラップ、及び前記短辺部側面板の下端部に連設される前記底面部内フラップは、その両側縁部が、各々両側の前記長辺部側面板の内側面に沿って配置される形状を有しており、４箇所の前記斜辺部側面板は、各々前記長辺部側面板に対して２０°〜４０°の折曲り角度で折れ曲がった状態で配設されているダンボール箱。
【請求項２】
前記天面部外フラップから前記長辺部側面板に亘って形成された前記一対の破断誘導線は、前記前記天面部外フラップの突合せ先端縁部の縁部分から、前記長辺部側面板に向けて外開きに斜めに延設して設けられている請求項１記載のダンボール箱。
【発明の詳細な説明】
【技術分野】
【０００１】
本発明は、ダンボール箱に関し、特に、所定の形状に裁断されたダンボール板を折曲げ線に沿って折り曲げることで、８角形断面の側面部と、天面部と、底面部とを備えるように形成されるダンボール箱に関する。
【背景技術】
【０００２】
例えば、各種の日用雑貨品等の物品を複数まとめて梱包して、搬送や保管に供するための箱として、ダンボール箱が多用されている。ダンボール箱は、所定の形状に裁断されたダンボール板に折曲げ加工や切込み加工等を施すと共に、必要に応じて接着剤等による接合手段を用いることにより、側面部と、天面部と、底面部とを備える好ましくは直方体形状に形成される。
【０００３】
また、ダンボール箱は、内部に補強用のダンボール板を配置して、物品を梱包した際の強度を高める工夫がなされる場合があるが、補強用のダンボール板を別途に用いると、梱包作業に手間がかかると共に、材料の無駄が生じることになる。このため、補強用のダンボール板を別途に用いることなく、裁断される一枚のダンボール板の形状を工夫することで、組み立てられた後の強度を高めたダンボール箱も開発されている（例えば、特許文献１参照）。特許文献１のダンボール箱では、４枚の側板と、隣接する側板間の斜壁板とによって、４角形の角部が面取りされた形状の側面部を形成することで、上下方向の圧縮力に対する強度を増大させると共に、天面部や底面部を形成する一対の内フラップ同士が互いの先端部を突き合わせて接した状態で組み立てられるので、一対の内フラップの対向方向へ向けた外力に対する強度を向上できるようになっている。
【０００４】
一方、ダンボール箱に手作業によって容易に破断可能な破断誘導線を設けておくことで、梱包した物品を取り出し易くしたり、搬送用や保管用だけではなく、例えば店頭で物品を見せた状態で陳列させる箱としても用いることができるようにしたダンボール箱も開発されている（例えば、特許文献２参照）。
【先行技術文献】
【特許文献】
【０００５】
【特許文献１】特開２０１０−２１５２６６号公報
【特許文献２】実用新案登録第３０１９０７１号公報
【発明の概要】
【発明が解決しようとする課題】
【０００６】
しかしながら、特許文献１のダンボール箱では、略直方体形状に形成されるようになっており、角部が面取りされた略長方形の断面形状の長辺部よりも、短辺部の方が相当程度に短くなっているので、一対の内フラップの先端部同士を突き合わせた状態とするためには、長辺部の側板に連設する外フラップよりも、短辺部の側板に連設する内フラップの方が、相当程度に長く突出するようにダンボール板を裁断する必要を生じることになる。このため、長辺部の側板に連設する外フラップの先端縁部と、短辺部の側板に連設する内フラップの先端縁部とを揃えてダンボール板を裁断することができなくなって、裁断効率が悪くなる。
【０００７】
また、ダンボール箱に手作業によって容易に破断可能な破断誘導線を設けると、この破断誘導線の部分に応力が集中することで、例えば物品を梱包した後の搬送過程でダンボール箱が変形し易くなって外観を損う場合がある。
【０００８】
本発明は、長辺部の側板に連設する外フラップの先端縁部と、短辺部の側板に連設する内フラップの先端縁部とを揃えて効率良くダンボール板を裁断できると共に、外力に対する強度を向上させて、破断誘導線を設けた場合でも搬送過程でダンボール箱が変形するのを効果的に回避することのできるダンボール箱を提供することを目的とする。
【課題を解決するための手段】
【０００９】
本発明は、所定の形状に裁断されたダンボール板を折曲げ線に沿って折り曲げることで、内フラップが連設される一対の短辺部側面板、外フラップが連設される一対の長辺部側面板、及び各隣接する前記短辺部側面板と前記長辺部側面板との間に介在する４箇所の斜辺部側面板からなる８角形断面の側面部と、一対の天面部内フラップ及び一対の天面部外フラップによって形成される天面部と、一対の底面部内フラップ及び一対の底面部外フラップによって形成される底面部とを備えるように形成されると共に、少なくとも一方の前記天面部外フラップから前記長辺部側面板に亘って一対の破断誘導線が設けられているダンボール箱であって、前記短辺部側面板の上端部に連設される前記天面部内フラップ、及び前記短辺部側面板の下端部に連設される前記底面部内フラップは、その両側縁部が、各々両側の前記長辺部側面板の内側面に沿って配置される形状を有しており、４箇所の前記斜辺部側面板は、各々前記長辺部側面板に対して２０°〜４０°の折曲り角度で折れ曲がった状態で配設されているダンボール箱を提供することにより、上記目的を達成したものである。
【発明の効果】
【００１０】
本発明のダンボール箱によれば、長辺部の側板に連設する外フラップの先端縁部と、短辺部の側板に連設する内フラップの先端縁部とを揃えて効率良くダンボール板を裁断できると共に、外力に対する強度を向上させて、破断誘導線を設けた場合でも搬送過程でダンボール箱が変形するのを効果的に回避することができる。
【図面の簡単な説明】
【００１１】
【図１】本発明の好ましい一実施形態に係るダンボール箱の斜視図である。
【図２】本発明の好ましい一実施形態に係るダンボール箱を形成するための裁断されたダンボール板の展開図である。
【図３】本発明の好ましい一実施形態に係るダンボール箱の構成を説明する、（ａ）は略示上面図、（ｂ）は略示底面図である。
【発明を実施するための形態】
【００１２】
図１に示す本発明の好ましい一実施形態に係るダンボール箱１０は、収容物として、例えば詰め替え用の液体洗剤を収容したパウチやガセット袋等の袋状の柔包装体を、複数梱包して搬送したり保管したりするための箱体として用いられる。また、本実施形態のダンボール箱１０は、手作業によって容易に破断可能な破断誘導線１１が設けられており、この破断誘導線１１に沿って破断させることでダンボール箱１０を開放して、収容物を取り出し易くすると共に、例えば店頭で物品を見せた状態で陳列できるようにする機能を備える。さらに、本実施形態のダンボール箱１０は、搬送時等において負荷される外力を効率良く支持して、特に破断誘導線１１の部分に変形が生じないようにする機能を備える。
【００１３】
そして、本実施形態のダンボール箱１０は、図２に示すような所定の形状に裁断されたダンボール板１２を折曲げ線１３ａ，１３ｂに沿って折り曲げることで、図１及び図３（ａ），（ｂ）にも示すように、内フラップ１４ａ，１４ｂが連設される一対の短辺部側面板１５、外フラップ１６ａ，１６ｂが連設される一対の長辺部側面板１７、及び各隣接する短辺部側面板１５と長辺部側面板１７との間に介在する４箇所の斜辺部側面板１８からなる８角形断面の側面部１９と、一対の天面部内フラップ１４ａ及び一対の天面部外フラップ１６ａによって形成される天面部２０と、一対の底面部内フラップ１４ｂ及び一対の底面部外フラップ１６ｂによって形成される底面部２１と、を備えるように形成されると共に、少なくとも一方の天面部外フラップ１６ａから長辺部側面板１７に亘って一対の破断誘導線１１が設けられているダンボール製の箱体である。短辺部側面板１５の上端部に連設される天面部内フラップ１４ａ、及び短辺部側面板１５の下端部に連設される底面部内フラップ１４ｂは、その両側縁部２２が、各々両側の長辺部側面板１７の内側面に沿って配置される形状を有しており（図３（ａ）、（ｂ）参照）、４箇所の斜辺部側面板１８は、各々長辺部側面板１７に対して２０°〜４０°の折曲り角度θで各々折れ曲がった状態で設けられている。
【００１４】
また、本実施形態では、天面部外フラップ１６ａから長辺部側面板１７に亘って形成された一対の破断誘導線１１は、天面部外フラップ１６ａの突合せ先端縁部２３の縁部分から、長辺部側面板１７に向けて外開きに斜めに延設して設けられている。
【００１５】
本実施形態のダンボール箱１０は、図２に示すような一枚のダンボール板１２を用いて形成される。ダンボール板１２は、ダンボール箱１０を展開した所定の形状となるように、例えば打ち抜いて裁断することで、容易に得ることができる。また、ダンボール板１２には、折れ癖加工や切込み加工等を施すことにより、縦方向折曲げ線１３ａや横方向折曲げ線１３ｂ、或いは切込みや切抜き等が適宜の箇所に設けられていることで、ダンボール箱１０を、後述する所望の立体形状となるように容易に組み立てることができる。
【００１６】
本実施形態では、ダンボール板１２は、図２において左側に配設された、横長の長方形の一方の長辺部側面板１７の左側に、縦方向折曲げ線１３ａを介して縦長の帯板形状の重ね合わせ斜辺部側面板１８’が連設しており、右側に、縦方向折曲げ線１３ａを介して、縦長の長方形の一方の短辺部側面板１５との間に介在する縦長の帯板形状の斜辺部側面板１８が連設している。また、一方の長辺部側面板１７の上方には、横方向折曲げ線１３ｂを介して天面部外フラップ１６ａが連設している。さらに、一方の長辺部側面板１７の下方には、横方向折曲げ線１３ｂを介して底面部外フラップ１６ｂが連設している。
【００１７】
一方の短辺部側面板１５の右側には、縦方向折曲げ線１３ａを介して、横長の長方形の他方の長辺部側面板１７との間に介在する縦長の帯板形状の斜辺部側面板１８が連設している。また、一方の短辺部側面板１５の上方には、横方向折曲げ線１３ｂを介して天面部内フラップ１４ａが連設している。さらに、一方の短辺部側面板１５の下方には、横方向折曲げ線１３ｂを介して底面部内フラップ１４ｂが連設している。
【００１８】
他方の長辺部側面板１７の右側には、縦方向折曲げ線１３ａを介して、縦長の長方形の他方の短辺部側面板１５との間に介在する縦長の帯板形状の斜辺部側面板１８が連設している。また、他方の長辺部側面板１７の上方には、横方向折曲げ線１３ｂを介して天面部外フラップ１６ａが連設している。さらに、他方の長辺部側面板１７の下方には、横方向折曲げ線１３ｂを介して底面部外フラップ１６ｂが連設している。
【００１９】
他方の短辺部側面板１５の右側には、縦方向折曲げ線１３ａを介して、重ね合わせ斜辺部側面板１８’に重ね合わされて当該重ね合わせ斜辺部側面板１８’と共に斜辺部側面板１８を形成する、縦長の帯板形状の重ね合わせ斜辺部接合板１８”が連設している。また、他方の短辺部側面板１５の上方には、横方向折曲げ線１３ｂを介して天面部内フラップ１４ａが連設している。さらに、他方の短辺部側面板１５の下方には、横方向折曲げ線１３ｂを介して底面部内フラップ１４ｂが連設している。
【００２０】
そして、本実施形態では、一対の長辺部側面板１７の上方に連設する天面部外フラップ１６ａは、ダンボール箱１０を組み立てた際に、先端縁部２３を突き合せた状態で天面部２０を形成できるような長さで横方向折曲げ線１３ｂから延設している（図１参照）。天面部外フラップ１６ａの横方向折曲げ線１３ｂに近接する基端部分には、これの両側部から両側に延設して、ダンボール箱１０を組み立てた際に、斜辺部側面板１８の内側に沿って配置される斜辺部２４が形成されている。
【００２１】
また、一対の長辺部側面板１７のうちの上記他方の長辺部側面板１７の上方に連設する天面部外フラップ１６ａには、一対の破断誘導線１１の、例えばＹ字形状の切込みが連設するミシン目からなる斜め延設部１１ａが、先端縁部２３の縁部分から、長辺部側面板１７との間の横方向折曲げ線１３ｂに向けて、外開きに斜めに延設して設けられている。本実施形態では、斜め延設部１１ａは、他方の長辺部側面板１７における横方向折曲げ線１３ｂと縦方向折曲げ線１３ａとの間の接合角部分に至るまで形成されており、当該接合角部分において、他方の長辺部側面板１７と斜辺部側面板１８との間の縦方向折曲げ線１３ａに沿って形成された、一対の破断誘導線１１の、例えばＬ字形状の切込みが連設するミシン目からなる縦方向延設部１１ｂと各々接続している。
【００２２】
一対の長辺部側面板１７の下方に連設する底面部外フラップ１６ｂは、ダンボール箱１０を組み立てた際に、先端縁部２３を突き合せた状態で底面部２１を形成できるような長さで横方向折曲げ線１３ｂから延設している（図３（ｂ）参照）。底面部外フラップ１６ｂの横方向折曲げ線１３ｂに近接する基端部分には、これの両側部から両側に延設して、ダンボール箱１０を組み立てた際に、斜辺部側面板１８の内側に沿って配置される斜辺部２４が形成されている。また、底面部外フラップ１６ｂの横方向折曲げ線１３ｂと離れた先端部分には、これの両側の端部に、ダンボール箱１０を組み立てた際に、後述する天面部内フラップ１４ａによる位置合わせ段差凸部２５（図１参照）が係止される位置合わせ段差凹部２６（図３（ｂ）参照）を底面部２１に設けるための、切欠き凹部２７が形成されている。
【００２３】
本実施形態では、一対の短辺部側面板１５の上方に連設する天面部内フラップ１４ａは、ダンボール板１２において、その先端縁部を天面部外フラップ１６ａの先端縁部２３と揃えた状態で裁断される。天面部内フラップ１４ａは、ダンボール箱１０を組み立てた際に、両側の斜辺部側面板１８及び両側の長辺部側面板１７の内側に納まる形状に形成されると共に、その先端側の部分の両側縁部２２を、両側の長辺部側面板１７の内側面に沿って当該内側面に当接させた状態で配置できる形状に形成される。また天面部内フラップ１４ａには、短辺部側面板１５との間の横方向折曲げ線１３ｂから先端側に向けて、略Ｕ字形状の切込み２８が形成されており、この切込み２８の内側部分が、位置合わせ段差凸部２５を設けるための舌状片２９となっている。
【００２４】
ダンボール箱１０を組み立てる際に、天面部内フラップ１４ａに対して舌状片２９を起こしておき、天面部内フラップ１４ａの外側に天面部外フラップ１６ａを重ね合わせて天面部２０を形成した後に、この舌状片２９を天面部外フラップ１６ａの上面に重ねて配置することによって、天面部２０の短辺部側面板１５と連続する部分に、位置合わせ段差凸部２５を設けることができる。ダンボール箱１０を上下に積み重ねる際に、上段のダンボール箱１０の底面部２１に形成された位置合わせ段差凹部２６を、下段のダンボール箱１０の天面部２０に形成された位置合わせ段差凸部２５に係止することで、ダンボール箱１０を上下に容易に位置決めさせて、安定した状態でダンボール箱１０を積み重ねることが可能になる。
【００２５】
一対の短辺部側面板１５の下方に連設する底面部内フラップ１４ｂは、ダンボール板１２において、その先端縁部を底面部外フラップ１６ｂの先端縁部２３と揃えた状態で裁断される。底面部内フラップ１４ｂは、ダンボール箱１０を組み立てた際に、両側の斜辺部側面板１８及び両側の長辺部側面板１７の内側に納まる形状に形成されると共に、その先端側の部分の両側縁部２２を、両側の長辺部側面板１７の内側面に沿って当該内側面に当接させた状態で配置できる形状に形成される。
【００２６】
なお、本実施形態では、ダンボール板１２には、これの横方向の全長に亘って、カットテープ３０が、短辺部側面板１５、長辺部側面板１７、及び斜辺部側面板１８を連続して横断するようにして設けられている。
【００２７】
上述のダンボール板１２を用いてダンボール箱１０を組み立てるには、縦方向折曲げ線１３ａを介してダンボール板１２を折り曲げると共に、重ね合わせ斜辺部側面板１８’に重ね合わせ斜辺部接合板１８”を重ね合わせて接着剤等を用いて接合することで、ダンボール板１２を８角形断面の筒状に形成する。しかる後に、横方向折曲げ線１３ｂを介して一対の底面部内フラップ１４ｂを内側に折り曲げ、折り曲げた底面部内フラップ１４ｂの外側に重ね合わせるようにして、一対の底面部外フラップ１６ｂを内側に折り曲げると共に、これらの先端縁部２３を互いに突き合わせた状態で底面部内フラップ１４ｂに接合することで、底面部２１を形成する。
【００２８】
底面部２１を形成したら、内側に収容物を収容した後に、天面部２０を形成する。天面部２０は、横方向折曲げ線１３ｂを介して一対の天面部内フラップ１４ａを、舌状片２９を起こした状態で内側に折り曲げ、折り曲げた天面部内フラップ１４ａの外側に重ね合わせるようにして、一対の天面部外フラップ１６ａを内側に折り曲げると共に、これらの先端縁部２３を互いに突き合わせた状態で天面部内フラップ１４ａに接合することで、容易に形成することができる。天面部２０を形成したら、起こした状態の舌状片２９を、天面部外フラップ１６ａの上面に重ねて配置することによって位置合わせ段差凸部２５を形成する。
【００２９】
これらによって、図１に示すような、天面部内フラップ１４ａ及び底面部内フラップ１４ｂの両側縁部２２が、各々両側の長辺部側面板１７の内側面に沿って配置され、且つ４箇所の斜辺部側面板１８が、各々長辺部側面板１７に対して２０°〜４０°の折曲り角度θで各々折れ曲がった状態で設けられた、８角形断面の側面部１９と、天面部２０と、底面部２１とからなる本実施形態のダンボール箱１０が形成される。
【００３０】
ここで、各斜辺部側面板１８の長辺部側面板１７に対する折曲り角度θは、２０°〜４０°とする必要があり、３０°とすることが特に好ましい。各斜辺部側面板１８の長辺部側面板１７に対する折曲り角度θが大き過ぎると、短辺部側面板１５側の縦方向折り曲げ線１３ａによる、段ボール箱１０に負荷される上下方向の圧縮荷重を支える柱としての役割が低下してしまうという不具合を生じることになり、小さ過ぎると、段ボール箱の形態が６面体形状に近づき、段ボール箱１０を形成するためのダンボール板のシート面積が増加して、コストがアップするという不具合を生じることになる。
【００３１】
そして、上述の構成を備える本実施形態のダンボール箱１０によれば、長辺部側面板１７に連設する外フラップ１６ａ，１６ｂの先端縁部２３と、短辺部側面板１５に連設する内フラップ１４ａ，１４ｂの先端縁部とを揃えて効率良くダンボール板１２を裁断できると共に、外力に対する強度を向上させて、破断誘導線１１を設けた場合でも搬送過程でダンボール箱１０が変形するのを効果的に回避することが可能になる。
【００３２】
すなわち、本実施形態によれば、上述のように、長辺部側面板に連設する外フラップよりも、短辺部側面板に連設する内フラップを長く突出させることなく、長辺部側面板１７に連設する外フラップ１６ａ，１６ｂの先端縁部２３と、短辺部側面板１５に連設する内フラップ１４ａ，１４ｂの先端縁部とを揃えて、効率良くダンボール板１２を裁断することが可能になると共に、天面部内フラップ１４ａ及び底面部内フラップ１４ｂの両側縁部２２が、両側の長辺部側面板１７の内側面に沿って配置され、且つ斜辺部側面板１８が、長辺部側面板１７に対して２０°〜４０°の折曲り角度θで各々折れ曲がった状態で設けられているので、短辺部側面板１５の面積の増加によって応力が低減するという作用によって、外力に対する強度を向上させて、破断誘導線１１を設けた場合でも搬送過程でダンボール箱１０が変形するのを効果的に回避することが可能になる。
【００３３】
また、本実施形態では、天面部外フラップ１６ａから長辺部側面板１７に亘って形成された一対の破断誘導線１１は、天面部外フラップ１６ａの突合せ先端縁部２３の縁部分から長辺部側面板１７に向けて外開きに斜めに延設して設けられているので、短辺部側面板１５より受ける外力に対して外力を斜めに受けることで、破断誘導線１１が受ける外力が低減されるという作用によって、搬送過程でダンボール箱１０が変形するのをさらに効果的に回避することが可能になる。
【００３４】
なお、本発明は上記実施形態に限定されることなく種々の変更が可能である。例えば、天面部外フラップから長辺部側面板に亘って形成された一対の破断誘導線は、天面部外フラップの突合せ先端縁部の縁部分から長辺部側面板に向けて外開きに斜めに延設して設けられている必要は必ずしもなく、横方向折曲げ線に対して垂直な方向に延設して設けられていても良い。
【符号の説明】
【００３５】
１０  ダンボール箱
１１  破断誘導線
１１ａ  斜め延設部
１１ｂ  縦方向延設部
１２  ダンボール板
１３ａ  縦方向折曲げ線
１３ｂ  横方向折曲げ線
１４ａ  天面部内フラップ
１４ｂ  底面部内フラップ
１５  短辺部側面板
１６ａ  天面部外フラップ
１６ｂ  底面部外フラップ
１７  長辺部側面板
１８  斜辺部側面板
１９  側面部
２０  天面部
２１  底面部
２２  底面部内フラップの側縁部
２３  天面部外フラップの突合せ先端縁部
θ    斜辺部側面板の長辺部側面板に対する折曲り角度
【図１】
2012210960.tif 000003
【図２】
2012210960.tif 000004
【図３】
2012210960.tif 000005